(57)【要約】【課題】綴じ足の有効部分の長さを略無段階に調整できる綴じ具及び綴じ具を用いたファイルの提供を課題とする。【解決手段】ファイル１の綴じ孔２１を用いてファイル１に取り付けられる綴じ具１５であり、ファイル１の綴じ孔２１に挿入される綴じ足３１と、綴じ足３１の有効部分３１ｃの長さを略無段階に調整する有効長調整手段としての綴じ足固定部材３２とを備えている。綴じ足固定部材３２には、ファイル１に係止される第１の係止部と、綴じ足３１の長手方向に設けられた多数の係止片に係合される第２の係止部とが設けられている。【選択図】図１
2008200926.tif 000002
【特許請求の範囲】
【請求項１】
ファイルの綴じ孔を用いて前記ファイルに取り付けられる綴じ具において、
前記ファイルの前記綴じ孔に挿入される綴じ足と、
前記綴じ足の有効部分の長さを略無段階に調整する有効長調整手段と、
を備えることを特徴とする綴じ具。
【請求項２】
前記綴じ足は長手方向に多数の係止片を有し、前記有効長調整手段は、前記ファイルにおける前記綴じ孔の周囲に係止される第１の係止部と、前記綴じ足の前記係止片に係合する第２の係止部と、を有することを特徴とする請求項１に記載の綴じ具。
【請求項３】
前記綴じ足における前記有効部分の反対側の端部に、前記綴じ孔の周囲の部分に係止されるストッパが設けられていることを特徴とする請求項１または２に記載の綴じ具。
【請求項４】
前記有効長調整手段は前記綴じ足に挿通されるリング状に形成され、
前記第１の係止部は前記リング形状の外周側に設けられ、前記第２の係止部は前記リング形状の内周側に設けられていることを特徴とする請求項１から３の何れかに記載の綴じ具。
【請求項５】
前記第１の係止部は前記リング形状の外周部であり、前記第２の係止部は突起であることを特徴とする請求項４に記載の綴じ具。
【請求項６】
前記有効長調整手段は、前記ファイルから分離可能であることを特徴とする請求項１から５の何れかに記載の綴じ具。
【請求項７】
前記綴じ足に係止されて前記ファイルに綴じるべき書類などの側に押圧される押さえ部材を有し、前記押さえ部材は前記綴じ足の側方から前記綴じ足に着脱することを特徴とする請求項１から６の何れかに記載の綴じ具。
【請求項８】
ファイル本体と、
請求項１から７の何れかに記載の綴じ具と、
を備えることを特徴とするファイル。
【請求項９】
前記ファイル本体は、表表紙と、裏表紙と、背幅を調整可能な背表紙と、を有することを特徴とする請求項８に記載のファイル。
【請求項１０】
前記表表紙又は前記裏表紙と、前記背表紙との間に立ち上げ部が設けられ、前記綴じ具が前記立ち上げ部に取り付けられていることを特徴とする請求項８または９に記載のファイル。
【請求項１１】
前記綴じ足における前記有効部分の反対側の余長部分が、前記立ち上げ部を貫通して前記有効部分側に配置されることを特徴とする請求項１０に記載のファイル。
【請求項１２】
前記綴じ足における前記有効部分の反対側の余長部分が、前記立ち上げ部の内部に配置されることを特徴とする請求項１０に記載のファイル。
【発明の詳細な説明】
【技術分野】
【０００１】
本発明は、綴じ具及びこの綴じ具を用いたファイルに関する。
【背景技術】
【０００２】
長尺な綴じ足を有する綴じ具によって書類などを綴じるファイルがある。綴じ具の綴じ足の有効部分（書類などの側に突出する部分）の長さが固定されていると、綴じるべき書類などの量を所定量以上に増量できない。そこで、従来から、綴じ足の有効部分の長さを調整可能な各種の綴じ具が知られている（例えば、特許文献１，２参照。）。
【０００３】
図１３に示すように、特許文献１のファイル用綴じ具５は、ファイルの綴じ孔に挿通される一対の綴じ帯５１，５１を有している。これらの綴じ帯５１，５１は、切断可能な連結片部５２で連結されている。また、綴じ帯５１，５１の対向部にはファイルの綴じ孔に係止されるストッパー部５３，５３が設けられている。
【０００４】
このファイル用綴じ具５は、ファイルに綴じるべき書類などの量が少ない場合には、一対の綴じ帯５１，５１を連結したまま使用する。また、ファイルに綴じるべき書類などの量が多い場合には、連結片部５２を切断して綴じ帯５１，５１を分離し、ストッパー部５２，５２をファイルの綴じ孔の周囲に係止して使用する。
【０００５】
図１４に示すように、特許文献２の綴じ具６は、ファイル７に綴じるべき書類７０などの量が少ないには、綴じ足６１の基端部６２をファイル７の外孔７１の周囲に係止し、書類７０などの量が多い場合には、基端部６２をファイル７の内孔７２の周囲に係止することにより、綴じ足６１の有効部分６１ａの長さＬを調整する。
【特許文献１】特開平１０−４４６６６号公報
【特許文献２】特開２００３−２７６３７６号公報
【発明の開示】
【発明が解決しようとする課題】
【０００６】
しかしながら、従来の特許文献１のファイル用綴じ具５は、一対の綴じ帯５１，５１を一旦分離してしまうと、元に戻すことができないという問題があった。また、特許文献２の綴じ具６は、綴じ足６１の有効部分６１ａの長さＬを２段階にしか調整できないという問題があった。
【０００７】
本発明は、このような問題に鑑みなされたもので、綴じ足の有効部分の長さを略無段階に調整できる綴じ具及びこれを用いたファイルの提供を課題とする。
【課題を解決するための手段】
【０００８】
本発明は、前記課題を解決するため、以下の手段を採用した。
すなわち、本発明は、
ファイルの綴じ孔を用いて前記ファイルに取り付けられる綴じ具において、
前記ファイルの前記綴じ孔に挿入される綴じ足と、
前記綴じ足の有効部分の長さを略無段階に調整する有効長調整手段と、
を備えることを特徴とする。
【０００９】
綴じ足の有効部分とは、ファイルに書類などを綴じるために使用される部分であり、書類の綴じ孔を通過する部分と、書類の上側に折り曲げられる部分を含む。
【００１０】
本発明では、綴じ足の有効部分の長さを無段階に調整できるので、ファイルに綴じるべき書類などの量に応じて自由に綴じ足の長さを調整でき、ファイルの取り扱い性が向上すると共に、体裁が良好になる。なお、無段階には多段階を含む。
【００１１】
ここで、前記綴じ足は長手方向に多数の係止片を有し、前記有効長調整手段は、前記ファイルにおける前記綴じ孔の周囲に係止される第１の係止部と、前記綴じ足の前記係止片に係合する第２の係止部と、を有する構成にできる。
【００１２】
また、前記綴じ足における前記有効部分の反対側の端部に、前記綴じ孔の周囲に係止されるストッパを設けることができる。この場合は、綴じ足がファイルから不用意に抜け出るのを防止できる。
【００１３】
また、前記有効長調整手段は前記綴じ足に挿通されるリング状に形成され、
前記第１の係止部は前記リング形状の外周側に設けられ、前記第２の係止部は前記リング形状の内周側に設けられている構成にできる。
【００１４】
また、前記第１の係止部は前記リング形状の外周部であり、前記第２の係止部は突起によって構成できる。この場合は、有効長調整手段の構成を簡略化できる。
【００１５】
また、前記有効長調整手段は、前記ファイルから分離可能に構成できる。この場合は、有効長調整手段をファイルから分離した状態で綴じ足に係合できるので、綴じ足に対する有効長調整手段の位置決めが容易になる。
【００１６】
また、前記綴じ足に係止されて前記ファイルに綴じるべき書類などの側に押圧される押さえ部材を有し、前記押さえ部材は前記綴じ足の側方から前記綴じ足に着脱する構成にできる。この場合は、押さえ部材を簡単に着脱できる。
【００１７】
また、本発明は、
ファイル本体と、
上記の何れかに記載の綴じ具と、
を備えることを特徴とする。
【００１８】
本発明では、綴じ具における綴じ足の有効部分の長さを略無段階に調整できるので、ファイルの取り扱い性が向上する。
【００１９】
ここで、前記ファイル本体は、表表紙、裏表紙、及び背幅を変更可能な背表紙を有する構成にできる。
【００２０】
この場合は、背表紙の背幅の変更に応じて綴じ足の有効部分の長さを無段階に調整できるので、取り扱い性が更に向上する。
【００２１】
また、前記表表紙又は前記裏表紙と、前記背表紙との間に立ち上げ部が設けられ、前記綴じ具が前記立ち上げ部に取り付けられる構成にできる。
【００２２】
また、前記綴じ足における前記有効部分の反対側の余長部分が、前記立ち上げ部を貫通して前記有効部分側に配置される構成にできる。
【００２３】
この場合は、綴じ足の余長部分が表表紙側または裏表紙側に露出されないので、体裁が良好になる。また、余長部分が長い場合でも、余長部分が邪魔になるのを回避できる。
【発明の効果】
【００２４】
本発明によれば、綴じ足の有効部分の長さを無段階に調整できるので、ファイルに綴じるべき書類などの量に応じて綴じ足の有効部分の長さを無段階に調整することができる。
【００２５】
これにより、綴じるべき書類などの量が多い場合には、綴じ足の有効部分の長さを長くすることにより、書類などを確実に綴じることができる。
【００２６】
また、綴じるべき書類などの量が少ない場合には、有効部分の綴じ足の長さを短くすることによって、綴じ足に取り付けて書類などを押圧する押圧部材の着脱が容易になるので、ファイルの取り扱い性が向上する。
【発明を実施するための最良の形態】
【００２７】
以下、本発明の実施の形態を添付した図１から図１０に基づいて詳細に説明する。なお、以下の実施形態は例示であり、本発明は実施形態の構成に限定されない。
【００２８】
図１は、本発明に係る実施形態のファイル１を示す。このファイル１は、ファイル本体１０と、綴じ具１５と、ファイル１に綴じるべき書類などを押圧する押圧部材１６とを備えている。
【００２９】
ファイル本体１０は、表表紙１１、裏表紙１２、背表紙１３、及び立ち上げ部１４，１４を有している。
【００３０】
次に、上記各構成要素について説明する。ファイル本体１０の表表紙１１、裏表紙１２、背表紙１３及び立ち上げ部１４は、適宜な厚さの紙などによって一体的に形成されている。
【００３１】
表表紙１１及び裏表紙１２は、略長方形に形成されている。また、本実施形態では、背表紙１３の背幅ｂが固定されている場合について説明する。
【００３２】
立ち上げ部１４は、背表紙１３の両側に設けられている。この立ち上げ部１４は、図２に示すように、表表紙１１又は裏表紙１２と背表紙１３との間の部分が内側に折り曲げられて重ね部１４ａ，１４ａが設けられ、これらの重ね部１４ａ，１４ａが二重に重ねられて形成されている。ファイル１が閉じられた状態では、立ち上げ部１４は、図２中に二点差線で示すように、表表紙１１又は裏表紙１２側に倒される。
【００３３】
この立ち上げ部１４には、図３に示すように、綴じ具１５を取り付けるための綴じ孔２１，２１、及び綴じ孔２１，２１の近傍に位置する戻し孔２２，２２が設けられている。戻し孔２２，２２は、綴じ孔２１，２１より外側に設けられている。
【００３４】
綴じ具１５は、図４に示すように、例えば樹脂で形成された帯状の綴じ足３１と、綴じ具１５をファイル１に取り付けた際に、綴じ足３１の有効部分３１ｃ（図９参照）の長さＬを無段階（又は多段階）に調整する有効長調整手段としての綴じ足固定部材３２とを有している。
【００３５】
なお、綴じ足３１の有効部分３１ｃとは、書類４０（図１０参照）などを綴じるために有効に使用される部分であり、書類４０などの綴じ孔４０ａを通過する部分と、書類４０などの上表面４０ｂに沿って折り曲げられる部分とを含む。本実施形態では、立ち上げ部１４から背表紙１３側に突出する部分が有効部分３１ｃである。
【００３６】
図１の押圧部材１６は、長尺な本体４５と、本体４５上にスライド自在に設けられ綴じ
足３１を曲げた状態で保持するスライド部４６とを有している。本体４５には、綴じ具１５の綴じ足３１を側方から挿入する凹溝４７と、綴じ足３１を上方から挿入する長溝４８が設けられている。
【００３７】
この押圧部材１６は、綴じ足３１の側方から綴じ足３１に簡単に着脱できるので、片手でも操作が可能である。
【００３８】
図４の綴じ足３１には、長手方向に多数の係止片３３が設けられている。本実施形態では、係止片３３が鋸歯状に形成されている（図８参照）。綴じ足３１の一端には、ファイル１の綴じ孔２１の周囲に係止されるストッパ３４が設けられている。このストッパ３４によって、綴じ足３１がファイル本体から抜け出るのを防止できる。
【００３９】
綴じ足固定部材３２は、図５に示すように、略長方形のリング状に形成されている。この綴じ足固定部材３２には、綴じ足３１を挿通する略長方形の挿通孔３５が設けられている。
【００４０】
また、綴じ足固定部材３２の外周には、ファイル１の立ち上げ部１４における綴じ孔２１の周囲に係止可能な第１の係止部３６が設けられている。本実施形態では、綴じ足固定部材３２の外周部が、綴じ孔２１より大きく形成されることにより、第１の係止部３６が設けられている。
【００４１】
綴じ足固定部材３２の挿通孔３５における一方の長辺には、綴じ足３１の係止片３３に係合可能な突起状の第２の係止部３７が設けられている。
【００４２】
この綴じ足固定部材３２の外周部には、図６に示すように、面取り３８が設けられている。また、第２の係止部３７には、外周部の面取り３８と反対向きの面取り３９が設けられている。これにより、第２の係止部３７が先細状に形成されている。
【００４３】
次に、このファイル１の作用を説明する。綴じ具１５をファイル本体１０に取り付ける際には、図７に示すように、綴じ足３１を綴じ足固定部材３２に挿通した状態で、綴じ足３１におけるストッパ３４の反対の先端３１ａ側を、背表紙１３側から立ち上げ部１４の戻し孔２２に通し、更に、綴じ孔２１に通して背表紙１３側に引き出す。
【００４４】
綴じ足３１の先端３１ａの反対端には、ストッパ３４が設けられているので、綴じ足３１が綴じ孔２１から抜けてしまうのを防止できる。
【００４５】
次に、又は予め、立ち上げ部１４から背表紙１３側に延びる綴じ足３１の有効部分３１ｃの必要長さＬに合わせて、綴じ足固定部材３２を綴じ足３１の所定の位置に係合させる。
【００４６】
この状態で、綴じ足３１の先端３１ａ側を背表紙１３側に引くと、図８に示すように、綴じ足固定部材３２の第１係止部３６が、立ち上げ部１４における綴じ孔２１の周囲の部分に係止される。これにより、立ち上げ部１４から背表紙１３側に延びる綴じ足３１の有効部分３１ｃの長さＬが決まる。
【００４７】
また、このときには、綴じ足３１における綴じ足固定部材３２に係止されている部分３１ｂが略９０度に折曲される。これにより、綴じ足３１の係止片３３と綴じ足固定部材３２の第２係止部３７同士がしっかりと噛み合い、綴じ足３１と綴じ足固定部材３２との係合強度が高くなる。
【００４８】
従って、綴じ足３１が綴じ足固定部材３２に対して不用意にスライドするのを抑制できるので、立ち上げ部１４から背表紙１３側に延びる綴じ足３１の有効部分３１ｃの長さＬ（図９参照）が、不用意に変わるのを抑制できる。
【００４９】
また、綴じ足３１における有効部分３１ｃ以外の余長部分３１ｄは、その一部が裏表紙１２側に配置され、残りの部分が戻り孔２２を通り背表紙１３側に配置される。
【００５０】
この背表紙１３側に配置された余長部分３１ｄは、図１０に示すように、立ち上げ部１４と書類４０などとの間に挟まれて露出することがないので、外観が向上する。また、ファイル１の取り扱い時に、綴じ足３１の余長部分３１ｄが邪魔になるのを防止できる。
【００５１】
なお、上記実施形態では、背表紙１３の背幅ｂが固定されているファイル１に本発明の綴じ具を適用した場合について説明したが、本発明の綴じ具は、背表紙の背幅を変更できる各種のファイルに好適に適用できる。
【００５２】
また、上記実施形態では、綴じ足３１の余長部分３１ｄが、立ち上げ部１４の外側に配置される場合について説明したが、図１１に示すように、綴じ足３１の余長部分３１ｄを、立ち上げ部１４の内部、すなわち、重ね部１４ａ，１４ａの間に配置できる。
【００５３】
また、上記実施形態では、背表紙１３の両側に立ち上げ部１４，１４が設けられている場合について説明したが、本発明は、図１２に示すように、背表紙１３の片側にのみ立ち上げ部１４が設けられている場合にも適用できる。
【００５４】
また、上記実施形態では、押圧部材を綴じ足の側方から挿抜するタイプの綴じ具について説明したが、本発明は綴じ足を有する各種の綴じ具に適用できる。
【００５５】
更に、上記実施形態では、綴じ具をファイル本体の立ち上げ部に取り付けたが、綴じ具はファイル本体の表表紙または裏表紙に取り付けることもできる。
【図面の簡単な説明】
【００５６】
【図１】本発明に係る実施形態のファイルを示す斜視図である。
【図２】本発明に係る実施形態のファイルにおける立ち上げ部を示す図であり、図１のＡ−Ａ断面図である。
【図３】本発明に係る実施形態の綴じ孔及び戻り孔を示す図であり、図２のＢ矢視図である。
【図４】本発明に係る実施形態の綴じ足及び綴じ足固定部材を示す斜視図である。
【図５】本発明に係る実施形態の綴じ足固定部材を示す図である。
【図６】本発明に係る実施形態の綴じ足固定部材を示す図であり、図５のＣ−Ｃ断面図である。
【図７】本発明に係る実施形態の綴じ具をファイルに取り付ける方法を説明する斜視図である。
【図８】本発明に係る実施形態の綴じ足と綴じ足固定部材の係合状態を示す図であり、図７のＤ−Ｄ断面図である。
【図９】本発明に係る実施形態の綴じ足の有効部分及び余長部分を示す図であり、図７のＥ矢視図である。
【図１０】本発明に係る実施形態の綴じ足の余長部分を有効部分側に配置した状態を示す図である。
【図１１】本発明に係る実施形態の綴じ足の余長部分を立ち上げ部における重ね部分の間に配置した状態を示す図である。
【図１２】本発明に係る別の実施形態のファイルを示す図である。
【図１３】従来例に係るファイル綴じ具を示す斜視図である。
【図１４】従来例に係る綴じ具を示す斜視図である。
【符号の説明】
【００５７】
１，７  ファイル
５  ファイル綴じ具
６  綴じ具
１０  ファイル本体
１１  表表紙
１２  裏表紙
１３  背表紙
１４  立ち上げ部
１４ａ  立ち上げ部の重ね部分
１５  綴じ具
１６  押圧部材
２１  綴じ孔
２２  戻り孔
３１  綴じ足
３１ａ  綴じ足の先端
３１ｂ  綴じ足の係合部分
３１ｃ  綴じ足の有効部分
３１ｄ  綴じ足の余長部分
３２  綴じ足固定部材（有効長調整手段）
３３  綴じ足の係止片
３４  綴じ足のストッパ
３５  挿通孔
３６  第１の係止部
３７  第２の係止部
３８  第１の係止部の面取り
３９  第２の係止部の面取り
４０  書類など
４５  押圧部材の本体
４６  押圧部材のスライド部
４７  押圧部材の凹溝
４８  押圧部材の長溝
５１  綴じ帯
５２  連結片部
５２，５３  ストッパー部
６１  綴じ足
６２  基端部
７０  書類
７１  外孔
７２  内孔
【図１】
2008200926.tif 000003
【図２】
2008200926.tif 000004
【図３】
2008200926.tif 000005
【図４】
2008200926.tif 000006
【図５】
2008200926.tif 000007
【図６】
2008200926.tif 000008
【図７】
2008200926.tif 000009
【図８】
2008200926.tif 000010
【図９】
2008200926.tif 000011
【図１０】
2008200926.tif 000012
【図１１】
2008200926.tif 000013
【図１２】
2008200926.tif 000014
【図１３】
2008200926.tif 000015
【図１４】
2008200926.tif 000016